(57)【要約】【課題】複層ガラス保持部材の内側に溜まった水を速やかにサッシ側に排出することができる板ガラス保持部材を提供する。【解決手段】長尺状複層ガラス保持部材３０は、断面Ｕ字形の長尺状であり、サッシ２０のチャンネル内に嵌め込まれ得る外形を有する硬質部材３１と、複層ガラス本体１１０をその各側部において狭持する一対の軟質部材３２とからなる。硬質部材３１は、複層ガラス本体１１０の外周縁部を支持すると共に、その中央部においてサッシ１２０側に突状に湾曲している湾曲部４２とを有する底面部４０とから成る。湾曲部４２は、夫々、硬質部材３１の長手軸に沿って等間隔に且つ該長手軸の両側において湾曲部４２と一体的に立設された一対の脚部３８ａ，３８ｂと、一対の脚部３８ａ，３８ｂの間に形成された略矩形の水抜き孔３９とを備える。【選択図】    図４
2004244834.tif 000002
【特許請求の範囲】
【請求項１】
複層ガラス及びサッシ間に介装され、底面部に水抜き孔を有する断面略Ｕ字形の板ガラス保持部材において、前記水抜き孔の両側において前記サッシ側に立設した一対の脚部を有することを特徴とする板ガラス保持部材。
【請求項２】
前記一対の脚部は、夫々、前記板ガラス保持部材の長手軸に関して両側に配されていることを特徴とする請求項１記載の板ガラス保持部材。
【請求項３】
前記底面部は前記サッシ側に突状であることを特徴とする請求項１又は２記載の板ガラス保持部材。
【請求項４】
前記底面部は湾曲していることを特徴とする請求項３記載の板ガラス保持部材。
【発明の詳細な説明】
【０００１】
【発明の属する技術分野】
本発明は、板ガラス保持部材に関し、特に板ガラス体本体の外周縁部に取り付けられる板ガラス保持部材に関する。
【０００２】
【従来の技術】
図５に示すように、板ガラス体としての複層ガラス体１００は、複層ガラス本体１１０と、複層ガラス本体１１０の外周縁部に嵌め込まれた従来の板ガラス保持部材としての複層ガラス保持部材１３０と、複層ガラス本体１１０を複層ガラス保持部材１３０を介して保持するサッシ１２０とから成る（例えば、特許文献１、特許文献２、及び特許文献３参照）。
【０００３】
サッシ１２０は、複層ガラス保持部材１３０が外周縁部に嵌め込まれた複層ガラス本体１１０を収容するチャンネル状のサッシ本体１２１と、サッシ本体１２１のチャンネルの底部であるチャンネル底部１２２上に載置され、複層ガラス本体１１０が収容された複層ガラス保持部材１３０を支持するセッティングブロック１２３とから成る。
【０００４】
複層ガラス保持部材１３０は、断面略Ｕ字形の長尺状であり、複層ガラス本体１１０の外周縁部を収容し得る溝１３３、及びサッシ１２０のチャンネル内に嵌め込まれ得る外形を有する硬質塩化ビニル製硬質部材１３１と、硬質部材１３１の両縁部にその各下縁部で夫々固定され、溝１３３に挿入された複層ガラス本体１１０をその各側部において挟持する塩化ビニル樹脂製又はエラストマー系樹脂製の一対の軟質部材１３２とから成る。
【０００５】
硬質部材１３１は、底部１３４に長手方向に沿って等間隔に、複層ガラス本体１１０と複層ガラス保持部材１３０の間から浸入した水を逃がすための複数の水抜き孔１３５を有する。
【０００６】
軟質部材１３２は、その内側面から硬質部材１３１の底部１３４に向かって斜めに突出する塩化ビニル樹脂製又はエラストマー系樹脂製でショア硬度６０〜７５度程度の一対の挟持片部１３６を備え、さらに、軟質部材１３２は、その上縁に、複層ガラス本体１１０の各表面との間を密閉すべく内側に突出した一対のシール片部１３７と、サッシ１２０のチャンネルの両縁部に対して夫々係止自在に外側に突出した一対の弾性張出係止部１３８とを備える。これらの挟持部１３６は、その先端部各々の間隔寸法が複層ガラス本体１１０の厚さ寸法より小さく設定されており、複層ガラス本体１１０が溝１３３に挿入される際に、複層ガラス本体１１０によって底部１３４方向に弾性的に撓んで、この撓みにより発生する弾性力によって複層ガラス本体１１０を挟持する。
【０００７】
複層ガラス本体１１０は、間に中空層１１４を画成するようにその周縁部に配されたスペーサ１１３を介して対向する一対の板ガラス１１１，１１２を備え、各板ガラス１１１，１１２とスペーサ１１３とは、一次シール材１１５により互いに接着されている。また、複層ガラス本体１１０の外周縁部で、板ガラス１１１，１１２、及びスペーサ１１３により形成された空間には、二次シール材１１６が充填されている。一次シール材１１５は、特に水分を透過し難くするためにブチルゴム製で、二次シール材１１６は、接着力の高いシリコン系またはポリサルファイド系のシール材で構成されている。スペーサ１１３は、横断面が略矩形の角筒部材１１３ａと、その角筒部材１１３ａの内空部に充填された乾燥材１１３ｂとから成り、角筒部材１１３ａには、中空層１１４に面する部分において、長手方向に沿って等間隔に複数の貫通孔１１３ｃが形成されている。乾燥剤１１３ｂは、中空層１１４内の水分を嵌通口１１３ｃを介して吸収し、中空層１１４内での結露を防止する。
【０００８】
複層ガラス本体１１０は、その外周縁部が複層ガラス保持部材１３０の溝１３３内に嵌められ、底部１３４上に接地され、複層ガラス保持部材１３０によりその底部１３４上で支持され、且つ挟持片部１３６により外周縁部を挟持されて、この複層ガラス保持部材１３０を介してサッシ１２０により保持される。
【０００９】
【特許文献１】
特開２００１−１８２４４８号公報
【特許文献２】
特開２００１−１８２４４９号公報
【特許文献３】
特開２００１−２０６２２号公報
【００１０】
【発明が解決しようとする課題】
しかしながら、複層ガラス保持部材１３０は、サッシ１２０のセッティングブロック１２３上に直接載置されているので、セッティングブロック１２３上に位置する水抜き孔１３５内に水が溜まり、この水抜き孔１３５内に溜まった水が二次シール材１１６と接触して、二次シール材１１６が劣化するという問題があった。
【００１１】
本発明の目的は、複層ガラス保持部材の内側に溜まった水を速やかにサッシ側に排出することができる板ガラス保持部材を提供することにある。
【００１２】
【課題を解決するための手段】
上記目的を達成するために、請求項１記載の板ガラス保持部材は、複層ガラス及びサッシ間に介装され、底面部に水抜き孔を有する断面略Ｕ字形の板ガラス保持部材において、前記水抜き孔の両側において前記サッシ側に立設した一対の脚部を有することを特徴とする。
【００１３】
請求項１記載の板ガラス保持部材によれば、水抜き孔の両側においてサッシ側に立設した一対の脚部を有するので、水抜き孔を塞がずに複層ガラス本体を支持することができ、もって複層ガラス保持部材と複層ガラス本体との間に滞留した水分等を確実に排出することができる。
【００１４】
請求項２記載の板ガラス保持部材は、前記一対の脚部は、夫々、前記板ガラス保持部材の長手軸に関して両側に配されていることを特徴とする。
【００１５】
請求項３記載の板ガラス保持部材は、請求項１又は２記載の板ガラス保持部材において、前記底面部は前記サッシ側に突状であることを特徴とする。
【００１６】
請求項３記載の板ガラス保持部材によれば、底面部がサッシ側に突状であるので、水分等が複層ガラス本体の二次シール材と接触するのを確実に防止することができる。
【００１７】
請求項４記載の板ガラス保持部材は、請求項３記載の板ガラス保持部材において、前記底面部は湾曲していることを特徴とする。
【００１８】
請求項４記載の板ガラス保持部材によれば、底面部が湾曲しているので、強度を低下させることなく底面を突状に構成することができる。
【００１９】
【発明の実施の形態】
以下、本発明の実施の形態に係る板ガラス保持部材を図面を参照にしながら説明する。
【００２０】
図１は、本発明の実施の形態に係る板ガラス保持部材を備える板ガラス体の部分斜視図である。
【００２１】
図１に示すように、複層ガラス体１（板ガラス体）は、複層ガラス本体１０（板ガラス体本体）と、複層ガラス本体１０の外周縁部に嵌め込まれた複層ガラス保持部材３０（板ガラス保持部材）と、複層ガラス保持部材３０を介して複層ガラス本体１０を保持するサッシ２０（板ガラス支持枠）とから成る。
【００２２】
サッシ２０は、図２に示すように、複層ガラス保持部材３０が外周縁部に嵌め込まれた複層ガラス本体１０を収容するアルミニウム製のチャンネル状サッシ本体２１と、複層ガラス保持部材３０を介して複層ガラス本体１０を支持するチャンネル底部２２とから成る。
【００２３】
図３は、図１の複層ガラス体１の部分断面図である。
【００２４】
図３の板ガラス体は、その構成が図５のものと基本的に同じであり、同じ構成要素については同一の参照番号を付して重複した説明を省略し、以下に異なる部分のみを説明する。
【００２５】
図３における複層ガラス保持部材３０は、断面略Ｕ字形の長尺状であり、複層ガラス本体１１０の外周縁部を収容し得る溝３３、及びサッシ２０のチャンネル内に嵌め込まれ得る外形を有する硬質塩化ビニル製硬質部材３１と、硬質部材３１の両縁部にその各下縁部で夫々固定され、溝３３に挿入された複層ガラス本体１１０をその各側部において挟持する塩化ビニル樹脂製又はエラストマー系樹脂製の一対の軟質部材３２とから成る。
【００２６】
軟質部材３２は、その内側面から複層ガラス本体１１０の端部に向かって斜めに突出する塩化ビニル樹脂製又はエラストマー系樹脂製でショア硬度６０〜７５度程度の一対の挟持片部３７を備え、さらに、軟質部材３２は、その上縁に、複層ガラス本体１１０の各表面との間を密閉すべく内側に突出した一対のシール片部３５と、サッシ２０のチャンネルの両縁部に対して夫々係止自在に外側に突出した一対の弾性張出係止部３６とから成る。これらの挟持片部３７は、その先端部各々の間隔寸法が複層ガラス本体１１０の厚さ寸法より小さく設定されており、複層ガラス本体１１０が溝３３に挿入される際に、複層ガラス本体１１０によって下方に弾性的に撓んで、この撓みにより発生する弾性力によって複層ガラス本体１１０を挟持する。
【００２７】
複層ガラス体１の少なくとも底辺における複層ガラス保持部材３０については、硬質部材３１は、一対の軟質部材３２の下縁部にその上縁が固定された側部４１と、複層ガラス本体１１０の外周縁部を支持すると共に、その中央部においてサッシ１２０側に（複層ガラス保持部材３０の外側に向かって）突状に湾曲している湾曲部４２を有する底面部４０とから成る。湾曲部４２は、その中央において、１ｍｍ以上の深さを有する。
【００２８】
また、湾曲部４２は、夫々、硬質部材３１の長手軸に沿って等間隔に且つ長手軸の両側において湾曲部４２と一体的に立設された一対の脚部３８ａ，３８ｂと、一対の脚部３８ａ，３８ｂの間に形成された略矩形の水抜き孔３９とを備える（図４）。一対の脚部３８ａ，３８ｂは、硬質部材３１の底面部４０を、中央部が硬質部材３１の長手軸に沿って配向したＨ形に切欠くことにより形成された２つの舌状部を直角に折曲げることによって形成され、脚部３８ａ，３８ｂの高さは２ｍｍ以上、長さは１０ｍｍ以上、厚さは１ｍｍ以上である。
【００２９】
水抜き孔３９は、硬質部材３１の２つの舌状部を直角に折曲げることによって底面部４０に略矩形に形成され、その開口部の大きさは、短径４ｍｍ以上、長径１０ｍｍ以上である。この水抜き孔３９は、複層ガラス保持部材３０と複層ガラス本体１１０との間に滞留した水分等を排出する。
【００３０】
また、硬質部材３１は、その底面部４０で複層ガラス本体１１０を直接支持すると共に底面部４０と一体成形された一対の脚部３８ａ，３８ｂによってサッシ本体２０の底部２２に載置される。
【００３１】
図４の複層ガラス保持部材３０は、一対の脚部３８ａ，３８ｂによってサッシ本体２０の底部２２に直接載置されるので、脚部３８ａ，３８ｂとサッシ本体２０の底部２２に存在する突起物等との干渉を避けることができ、水抜き孔３９を塞がずに複層ガラス本体１１０を支持することができ、もって複層ガラス保持部材３０と複層ガラス本体１１０との間に滞留した水分等を確実に排出することができ、その結果、複層ガラス本体１１０の二次シール材１１６の劣化を防止することができる。
【００３２】
さらに、底面部４０がサッシ側に突状であるので、水分等が複層ガラス本体１１０の二次シール材１１６と接触するのを確実に防止することができる。加えて、底面部４０における湾曲部４２が湾曲しているので、強度を低下させることなく底面を突状に構成することができる。
【００３３】
上記一対の脚部３８ａ，３８ｂは、他の成形方法によって底面部４０と一体成形されたものでもよく、また、底面部４０に対して一定の角度に傾斜した傾斜脚であってもよい。水抜き孔３９は略矩形以外の丸穴や長穴であってもよい。
【００３４】
上記湾曲部４２は、サッシ側に突状であればよく、サッシ側に突出した断面略三角形や断面略台形等であってもよい。
【００３５】
上記実施の形態において、複層ガラス本体１１０は、合わせガラスや、三枚以上の板ガラスを備えて構成してあるものであってもよく、また、複層ガラス本体１０を構成する板ガラスの全部又は一部が、熱線吸収、紫外線吸収や熱線反射（遮熱用を含む）等の機能を備えたものや、網入りや強化処理等を施したもので構成してあってもよい。
【００３６】
図１における複層ガラス保持部材３０は、上記形状に限るものではなく、また、上記材質に限るものではない。
【００３７】
図１におけるサッシ２０は、上記形状に限るものではなく、また、アルミニウム製のものに限定されるものではなく、例えば、鉄製や、ステンレス鋼製、またはアルミニウムと樹脂の複合構造であってもよい。また、底部２２にタッピングホール等の突起物を有するものであってもよい。
【００３８】
【発明の効果】
以上詳細に説明したように、請求項１記載の板ガラス保持部材によれば、水抜き孔の両側においてサッシ側に立設した一対の脚部を有するので、水抜き孔を塞がずに複層ガラス本体を支持することができ、もって複層ガラス保持部材と複層ガラス本体との間に滞留した水分等を確実に排出することができる。
【００３９】
請求項３記載の板ガラス保持部材によれば、底面部がサッシ側に突状であるので、水分等が複層ガラス本体の二次シール材と接触するのを確実に防止することができる。
【００４０】
請求項４記載の板ガラス保持部材によれば、底面部が湾曲していることにより、強度を低下させることなく底面を突状に構成することができる。
【図面の簡単な説明】
【図１】本発明の実施の形態に係る板ガラス保持部材を備える板ガラス体の部分斜視図である。
【図２】図１におけるサッシ２０の断面図である。
【図３】図１の複層ガラス体１の部分断面図である。
【図４】図３における複層ガラス保持部材３０の概略構成を示す図であり、（ａ）は断面図であり、（ｂ）は部分斜視図である。
【図５】従来の板ガラス保持部材を備える板ガラス体の部分断面図である。
【符号の説明】
１  板ガラス体
１０  複層ガラス本体
２０  サッシ
３０  複層ガラス保持部材
３１  硬質部材
３２  軟質部材
３３  溝
３５  シール片部
３６  弾性張出係止部
３７  挟持片部
３８ａ，３８ｂ  脚部
３９  水抜き孔
４０  底面部
４１  側部
４２  湾曲部
【図１】
2004244834.tif 000003
【図２】
2004244834.tif 000004
【図３】
2004244834.tif 000005
【図４】
2004244834.tif 000006
【図５】
2004244834.tif 000007